(57)【要約】      （修正有）【課題】皺の形成を模様とするダメージ加工に適さない素材を表面側生地とする縫製品であっても、当該ダメージ加工が保持される構造を備えることによって、十分なダメージ加工の皺模様を備えることができる縫製品を提供する。【解決手段】表面側生地１と、該表面側生地１の内面に接着層２を介して設けられるアルミ箔層３とを備え、アルミ箔層３と表面側生地１が一体に形成する皺による皺模様を備えたことを特徴とする。【選択図】図１
0003180066.tif 000002
【実用新案登録請求の範囲】
【請求項１】
表面側生地と、該表面側生地の内面に接着層を介して設けられるアルミ箔層とを備え、アルミ箔層と表面側生地が一体に形成する皺による皺模様を備えたことを特徴とする皺模様を有する縫製品。
【請求項２】
アルミ箔層が０．０３ｍｍ〜０．０６ｍｍの厚さを有することを特徴とする請求項１記載の皺模様を有する縫製品。
【請求項３】
アルミ箔層の内側となる袋物の内面に、内面生地を設けたことを特徴とする請求項１又は２記載の皺模様を有する縫製品。
【請求項４】
表面側生地の素材がポリウレタンであることを特徴とする請求項１、２又は３記載の皺模様を有する縫製品。
【請求項５】
表面側生地の素材がポリエチレンであることを特徴とする請求項１、２又は３記載の皺模様を有する縫製品。
【請求項６】
請求項１、２、３、４又は５記載の縫製品である袋物。
【請求項７】
請求項１、２、３、４又は５記載の縫製品である衣服。
【請求項８】
請求項１、２、３、４又は５記載の縫製品である手袋。
【請求項９】
請求項１、２、３、４又は５記載の縫製品である帽子。
【考案の詳細な説明】
【技術分野】
【０００１】
本考案は、表面に皺模様を有する生地を用いて形成される縫製品に関し、更に詳しくは、表面に皺模様を有する生地を用いて形成される縫製品、即ち、袋物である鞄、財布、ペンケース、及び、衣服、手袋、帽子に関する。
【背景技術】
【０００２】
従来、縫製品（具体的には袋物である鞄、財布、ペンケース、及び、衣服、手袋、帽子）は、単に実用に耐えるだけでなく、外観に種々の形状や模様、色彩等を施すことによって、美的外観を有するように製作されることが多い。
そしてそのような美的外観を有するための一手段として、表面に皺を形成するいわゆるダメージ加工を施すことがある。
【０００３】
ところが、ポリウレタン等の素材に対しては、洗っても絞っても皺をつけることができず、ダメージ加工を行うことができないという事情があった。
また、例えば皮革等の素材についてダメージ加工を行うことができる場合であっても、明瞭な多数の皺をつけることは困難であることも多かった。
【０００４】
一方、上記縫製品の表面に表れた生地に美的外観を奏するための模様を形成する技術として、例えば、バッグ本体が、薄肉の皮革生地の銀面層表面に不透明着色層が形成されるとともに、その表面に前記不透明着色層とは異色で、且つ、常時はこれに形成された無数の微細亀裂が密接されて殆ど模様を呈することはないが、皮革生地の湾曲により表面が伸びると前記微細亀裂がひび割れ上に開かれてこの微細亀裂を通じて前記不透明着色層が網状に露呈される有色着色皮膜が被服された可撓性皮革地により縫製されていることを特徴とする着色皮革製バッグ（例えば、特許文献１参照。）が公知である。
【先行技術文献】
【特許文献】
【０００５】
【特許文献１】特許第２９２７７７０号公報
【考案の概要】
【考案が解決しようとする課題】
【０００６】
上記特許文献１に係る着色皮革製バッグは、バッグ本体の表面に無数の微細亀裂が設けられ、時としてその微細亀裂がひび割れ状に開かれて、不透明着色層が網状に露呈するものである。このため、一般的な皮革製バッグとは外見上大きく相違し、微細亀裂の模様の間から銀面層が露呈することで、色彩の異なる網目状模様が浮き出る仕組みを有するため、一見すると多数の皺に若干類似した微細亀裂が形成されるものの、色彩の異なる網目状模様が浮き出るものであり、前記のいわゆるダメージ加工とは一線を画し、ダメージ加工特有の美感を発揮できるものではなかった。
【０００７】
本考案は以上の事情に鑑みてなされたものであり、従来皺の形成を模様とするダメージ加工に適さない素材を表面側生地とする縫製品であっても、当該ダメージ加工が保持される構造を備えることによって、十分なダメージ加工の皺模様を備えることができる縫製品を提供することを、考案が解決しようとする課題とする。
【課題を解決するための手段】
【０００８】
本考案は、表面側生地と、該表面側生地の内面に接着層を介して設けられるアルミ箔層とを備え、アルミ箔層と表面側生地が一体に形成する皺による皺模様を備えたことを特徴とする皺模様を有する縫製品を、課題を解決するための手段とする。ここで、本考案における縫製品とは、袋物である鞄、財布、ペンケース、及び、衣服、手袋、帽子をいう。
【０００９】
また、本考案は、上記皺模様を有する縫製品であり、且つ、アルミ箔層が０．０３ｍｍ〜０．０６ｍｍの厚さを有することを特徴とする皺模様を有する縫製品を、課題を解決するための手段とする。
【００１０】
また、本考案は、上記いずれかの皺模様を有する縫製品であり、且つ、アルミ箔層の内側となる袋物の内面に、内面生地を設けたことを特徴とする皺模様を有する縫製品を、課題を解決するための手段とする。
【００１１】
また、本考案は、上記いずれかの皺模様を有する縫製品であり、且つ、表面側生地の素材がポリウレタンであることを特徴とする皺模様を有する縫製品を、課題を解決するための手段とする。
【００１２】
また、本考案は、上記いずれかの皺模様を有する縫製品であり、且つ、表面側生地の素材がナイロンであることを特徴とする皺模様を有する縫製品を、課題を解決するための手段とする。
【００１３】
また、本考案は、上記いずれかの皺模様を有する縫製品としての袋物、衣服、手袋を、課題を解決するための手段とする。
【考案の効果】
【００１４】
本考案によれば、表面側生地と、該表面側生地の内面に接着層を介して設けられるアルミ箔層とを備え、アルミ箔層と表面側生地が一体に形成する皺による皺模様を備えたから、アルミ箔層が接着剤を介して縫製品の表面側生地の形状を皺状に固定保持することによって、従来では皺の保持が困難となる素材を有する縫製品であっても、長時間保持可能な皺模様を有する縫製品とすることができる。
【００１５】
また、本考案によれば、上記皺模様を有する縫製品であり、且つ、アルミ箔層が０．０３ｍｍ〜０．０６ｍｍの厚さを有することとした場合には、上記の作用効果を奏する上に、耐久性に優れ、加工性に優れ、適度な形状保持性と柔軟性を確保することができる。
【００１６】
また、本考案によれば、上記皺模様を有する縫製品であり、且つ、アルミ箔層の内側となる袋物の内面に、内面生地を設けた場合には、上記の作用効果を奏する上に、アルミ箔層が内面生地によって被覆されるため使用者の目に触れることがなく、縫製品の内部の品質を向上させることができる。
【００１７】
また、本考案によれば、上記皺模様を有する縫製品であり、且つ、表面側生地の素材がポリウレタンである場合には、上記の作用効果を奏する上に、特に皺が表面に皺が形成されにくくダメージ加工に適さないポリウレタンを素材とする縫製品について、アルミ箔層が接着剤を介して縫製品の表面におけるポリウレタンシートの形状を皺状に固定保持することによって、簡単に皺模様を呈する構成とすることができ、従来にはない美感を奏する縫製品とすることができる。
【００１８】
また、本考案によれば、上記皺模様を有する縫製品であり、且つ、表面側生地の素材がナイロンである場合には、上記の作用効果を奏する上に、特に薄手で強度の高いナイロンを素材とする縫製品について、アルミ箔層が接着剤を介して縫製品の表面におけるナイロンシートの形状を皺状に固定保持することによって、アルミ箔層の皺模様を非常に微細に表面側生地に反映した構成とすることができ、従来にはない美感を奏する縫製品とすることができる。
【００１９】
また、本考案によれば、上記皺模様を有する縫製品を特に袋物としたことによって、アルミ箔層が接着剤を介して縫製品の表面側生地の形状を皺状に固定保持することによって、従来では皺の保持が困難となる素材を有する袋物であっても、長時間保持可能な皺模様を有する袋物とすることができる。また、本考案の構成によれば、アルミ箔層を有する構成であることから、一般の保冷、保温性を有する袋物と同様に、保温保冷機能を備えることができる付加価値を有する。
【００２０】
また、本考案によれば、上記皺模様を有する縫製品を特に衣服、手袋、帽子としたことによって、アルミ箔層が接着剤を介して縫製品の表面側生地の形状を皺状に固定保持することによって、従来では皺の保持が困難となる素材を用いるものであっても、長時間保持可能な皺模様を有するアウターウェア、手袋、帽子とすることができる。また、本考案の構成によれば、アルミ箔層を有する構成であることから、非常に優れた保温（防寒）機能を備えることができる。
【図面の簡単な説明】
【００２１】
【図１】本考案の実施例１に係る（ａ）ポーチの斜視図、（ｂ）ポーチを構成する積層生地の断面図である。
【図２】本考案の実施例２に係る（ａ）ポーチの斜視図、（ｂ）ポーチを構成する積層生地の断面図である。
【図３】本考案の実施例３に係る（ａ）ウインドブレーカーを示す正面図、（ｂ）ウインドブレーカーを構成する積層生地の断面図である。
【考案を実施するための形態】
【００２２】
表面側生地と、該表面側生地の内面に接着層を介して設けられるアルミ箔層とを備え、アルミ箔層と表面側生地が一体に形成する皺による皺模様を備えたから、アルミ箔層が接着剤を介して縫製品の表面側生地の形状を皺状に固定保持することによって、従来では皺の保持が困難となる素材を有する縫製品であっても、長時間保持可能な皺模様を有することができ、アルミ箔層が０．０３ｍｍ〜０．０６ｍｍの厚さを有することで、耐久性、加工性に優れ、適度な形状保持性と柔軟性を確保することができ、アルミ箔層の内側となる袋物の内面に、内面生地を設けることで、上記の作用効果を奏する上に、アルミ箔層が内面生地によって被覆されるため使用者の目に触れることがなく、縫製品の内部の品質を向上させることができ、
特に皺が表面に皺が形成されにくくダメージ加工に適さないポリウレタンを素材とする縫製品について、アルミ箔層が接着剤を介して縫製品の表面におけるポリウレタンシートの形状を皺状に固定保持することによって、簡単に皺模様を呈する構成とすることができ、アルミ箔層を備えることで、袋物やアウターウェアとして、保温機能を兼備させることができる、優れた皺模様を有する縫製品を実現した。
【実施例１】
【００２３】
本考案の実施例１に係る縫製品は、袋物としてのポーチ５であり、図１（ａ）（ｂ）に示すように、ポリウレタンシート１ａからなる表面側生地１と、アルミ箔層３とを、接着剤２により接着して形成された積層シートからなる皺模様１０を有する、ダメージ加工がされたポーチ５である。ポリウレタンシート１ａからなる表面側生地１がポーチ５の表面となり、ポーチ５の内面にはアルミ箔層３が表れる構成である。皺模様１０は、皺が表面側生地１に線状の起伏となって表れるものである。線状となる部分が谷状となる部分もあれば、峰状となる部分もあり、その形状や方向性は不定である。皺は例えば幅５ｍｍ程度の太い帯状となって表れる部分もあれば、０．５ｍｍ未満の幅の多数の細かな線状となって表れる部分もある。図１に示す皺は前記した比較的太い皺であり、ポリウレタンシート１ａの表面の全体に多数の図示されない細かな皺が形成されている。
【００２４】
アルミ箔層３には予め無数の皺が形成されており、アルミ箔層３とポーチ５を形成するために裁断された表面側生地１の対向する面の夫々に接着剤２を塗布して接着し、アルミ箔層３のみでなく当該表面側生地１にも皺模様１０が形成された積層シートとする。
当該積層シートによって、ポーチ５の形状に縫製し、公知の手法によって開閉部にはスライドファスナーを取付けて形成したものである。
【００２５】
以上のように構成した実施例２に係るポーチ５は、アルミ箔層３によって形状を概ね一定に保持できるため、これに接着されたポリウレタンシート１ａは、皺が消えることがなく、ダメージ加工された外観を長期間に亘って維持することができる。
【００２６】
また、本実施例１に係るポーチ５は、アルミ箔層３によって形状を概ね一定に保持できるため、保形のための詰物等を保持させなくともよく、また、必要に応じて好みの形状に整え易い利点を有する。
【００２７】
また、アルミ箔層３を有する構成であるため、収納物に対する一定の保冷・保温効果を備えることができる利点を有する。
【実施例２】
【００２８】
本考案の実施例２に係る縫製品は、実施例１と同様に、袋物としてのポーチ５であり、図２（ａ）（ｂ）に示すように、合成皮革材１ｂからなる表面側生地１と、アルミ箔層３とを、接着剤２により接着して形成された積層シートからなる皺模様１０を有する、ダメージ加工がされたポーチ５である。
合成皮革材１ｂからなる表面側生地１がポーチ５の表面となり、ポーチ５の内面にはアルミ箔層３を設け、更に該アルミ箔層３の内側となる袋物の内面に、内面生地４を設けたものである。
【００２９】
当該内面生地４を設けたことにより、アルミ箔層３が当該内面生地４によって被覆されるため使用者の目に触れることがなく、また内面生地４に意匠性の高い模様を付したものを利用することにより、ポーチ５としての外観品質を向上させたものとしている。
【００３０】
以上のように構成した実施例２に係るポーチ５は、実施例１に係るポーチ５と同様に、アルミ箔層３によって形状を概ね一定に保持できるため、これに接着された合成皮革材１ｂは、皺が消えることがなく、ダメージ加工された外観を長期間に亘って維持することができる。
【００３１】
また、本実施例２に係るポーチ５においても実施例１に係るポーチ５と同様に、アルミ箔層３によって形状を概ね一定に保持できるため、保形のための詰物等を保持させなくともよく、また、必要に応じて好みの形状に整え易い利点を有し、また、アルミ箔層３を表面側生地１に接着する構成であるため、収納物に対する一定の保冷・保温効果を備えることができる利点を有する。
【実施例３】
【００３２】
本考案の実施例３に係る縫製品は、アウターウェアとしてのウインドブレーカー６であり、図３に示すように、薄手のナイロンシート１ｃを表面側生地１とし、裏面側に接着剤２を介してアルミ箔層３を設け、アルミ箔層３の内面側に内面生地を設けた構成とした、皺模様１０を有するウインドブレーカー６である。
内面生地４は肌触りのよい生地を適宜選択することができ、例えば、パイル生地や綿等、公知の保温性に優れた生地等を使用することができる。
ナイロンシートは非常に薄手であっても生地の強度が高いため、薄手のナイロンシート１ｃを用いることができる。このため、アルミ箔層３の皺模様１０を当該ナイロンシート１ｃ上に非常に多く反映することができ、特に外観的に特徴のある皺模様１０を表現することができる。
【００３３】
尚、本実施例３においても、アルミ箔層３によって形状を概ね一定に保持できるため、保形のための詰物等を保持させなくともよく、また、アルミ箔層３を表面側生地１に接着する構成であるため、収納物に対する一定の保温効果を備えることができる利点を有する。
【００３４】
上記実施例に示したように、表面側生地１は、皺模様１０を形成するダメージ加工には適さない素材、例えば、ポリウレタンシート１ａ、天然皮革若しくは合成皮革材１ｂ等の素材に好適である。
しかしながら、本考案においては、必ずしも皺模様１０の形成に適さない素材に限定するものではなく、縫製品に使用される素材であれば、例えば、ウール等の天然繊維、ナイロン等の合成繊維等といった種々の素材に使用することができる。
【００３５】
また上記実施例においては、接着剤２は、天然ラテックスゴム接着剤等を使用しているが、本考案は、接着剤２の材質について特に限定するものではなく、皮革材、合成樹脂、布帛等の縫製品の接着の用途に適する接着剤２であれば、特に限定することなく使用することができる。
【００３６】
本考案における縫製品としては、袋物としての鞄は、鞄であればよく、実施例に開示したポーチ以外に、リュックサック、ナップサック、ランドセル、ショルダーバッグ、ハンドバッグ、ウエストバッグ、トートバッグ、ボストンバッグ、ポシェット、スポーツバッグ、メッセンジャーバッグ、タンクバッグ、ゴルフバッグ等を含む。
また、本考案における縫製品である鞄以外の袋物としては、財布、ペンケースをいう。
また、本考案における縫製品である衣服としては、上記実施例として開示したウィンドブレーカー等のアウターウェアとして機能する衣服をいう。
また、本考案における縫製品である袋物及び衣服以外のものとしては手袋、帽子をいう。
【００３７】
また、本考案によれば、上記したように、アルミ箔層３を袋用生地に接着する構成であるため、袋物とした場合には収納物に対する一定の保冷・保温効果を備えることができ、アウターウェアとした場合には保温効果を備える利点を有する。しかしながら、本考案は一般的な保冷・保温手段と同様の効果を重要な構成とするものではなく、その本質は、上記したように袋物に形成される皺模様１０を形成した構成にある。
【００３８】
また、本考案によれば、アルミ箔層３の厚みを概ね０．０３ｍｍ〜０．０６ｍｍ程度としている。当該厚さにおいては、耐久性、加工性に優れ、適度な形状保持性と柔軟性を確保することができる。一方で、概ね０．０３ｍｍよりもアルミ箔層３の厚みを小さくすると、アルミ箔層３の破損や剥離を招来し易く、実用性に欠けることになる。また、概ね０．０６ｍｍを超えると、縫製作業中に表裏を反転させることが困難となり易く、生産性が劣ることになる。
【符号の説明】
【００３９】
１    表面側生地
１ａ  ポリウレタンシート
１ｂ  合成皮革材
１ｃ  ナイロンシート
１０  皺模様
２    接着剤
３    アルミ箔層
４    内面生地
５    ポーチ
６    ウインドブレーカー
【図１】
0003180066.tif 000003
【図２】
0003180066.tif 000004
【図３】
0003180066.tif 000005